(57)【要約】【課題】２つの表示部を十分に活用して情報を表示することができる表示装置を提供する。【解決手段】表示装置（１００）は、複数の表示部（１７０，１８０）と、前記複数の表示部のそれぞれが表示する情報の内容を決定し、前記複数の表示部に表示させる表示制御部（１３０）と、乗員による選択操作を受け付ける受付部（１１０）と、を備える。前記表示制御部は、前記複数の表示部に含まれる第１表示部（１７０）に、複数の選択肢（第１選択肢Ｅ１〜第５選択肢Ｅ５）を含むリスト情報を表示させた状態で、前記複数の選択肢の一つを選択する操作が前記受付部により受け付けられた場合に、第１の態様で選択された選択肢に関連する関連情報を前記複数の表示部のうち前記第１表示部とは異なる第２表示部（１８０）に表示させる。【選択図】図１
2020134817.tif 000002
【特許請求の範囲】
【請求項１】
複数の表示部と、
前記複数の表示部のそれぞれが表示する情報の内容を決定し、決定した情報を前記複数の表示部に表示させる表示制御部と、
乗員による選択操作を受け付ける受付部と、を備え、
前記表示制御部は、
前記複数の表示部に含まれる第１表示部に、複数の選択肢を含むリスト情報を表示させた状態で、前記複数の選択肢の一つを第１の態様で選択する操作が前記受付部により受け付けられた場合に、前記第１の態様で選択された選択肢に関連する関連情報を、前記複数の表示部のうち前記第１表示部とは異なる第２表示部に表示させる、
表示装置。
【請求項２】
前記表示制御部は、
前記第１の態様で選択された選択肢が第２の態様で選択された場合に、前記関連情報を前記第１表示部に表示させる、
請求項１に記載の表示装置。
【請求項３】
前記表示制御部は、
前記第１の態様で選択された選択肢が第２の態様で選択された場合に、前記関連情報を表示する前に前記第２表示部に表示されていた情報を、前記第２表示部に表示させる、
請求項２に記載の表示装置。
【請求項４】
前記表示制御部は、
前記第１の態様で選択された選択肢が第２の態様で選択された場合に、前記リスト情報を前記第２表示部に表示させる、
請求項２に記載の表示装置。
【請求項５】
前記表示制御部は、
前記第１の態様で選択された選択肢が第２の態様で選択された場合に、所定時間が経過するまで前記リスト情報を前記第２表示部に表示させ、
前記第２表示部に前記リスト情報を表示させた状態で、前記所定時間の間、前記複数の選択肢に対する操作が前記受付部により受け付けられなかった場合に、前記関連情報が表示される前に前記第２表示部に表示されていた情報を前記第２表示部に表示させる、
請求項２に記載の表示装置。
【請求項６】
前記表示制御部は、前記受付部により交換指示操作が受け付けられた場合に、前記第１表示部に表示させる情報と前記第２表示部に表示させる情報とを交換させる、
請求項１から５のうちいずれか１項に記載の表示装置。
【請求項７】
前記第１表示部及び前記第２表示部は、運転席及び助手席を有する車両に設けられ、
前記第１表示部は、前記第２表示部よりも前記運転席に近い側に配置され、
前記第２表示部は、前記第１表示部よりも前記助手席に近い側に配置されており、
前記表示制御部は、
前記第２表示部に表示されたリスト情報に含まれた選択肢のうち、前記第１の態様で選択された選択肢が第２の態様で選択された場合に、前記第１表示部に前記関連情報を継続して表示させる、
請求項４から６のうちいずれか１項に記載の表示装置。
【請求項８】
前記表示制御部は、
前記第２表示部に表示されたリスト情報に含まれた選択肢のうち、前記第１の態様で選択された選択肢が第２の態様で選択された場合に、前記第２表示部に前記リスト情報を継続して表示させ、または前記リスト情報が表示される前に前記第２表示部に表示されていた情報を前記第２表示部に表示させる、
請求項７に記載の表示装置。
【請求項９】
前記リスト情報は、エネルギー補給所のリストに関する情報であり、
前記表示制御部は、
表示装置を搭載する車両の走行履歴及び走行予定の少なくとも一方に基づいて、前記第１表示部及び前記第２表示部の少なくとも一方に表示させるリスト情報を生成する、
請求項１から８のうちのいずれか１項に記載の表示装置。
【請求項１０】
前記表示制御部は、
前記走行履歴に含まれる走行路の周囲におけるエネルギー補給所の情報の表示態様と、前記走行予定に含まれる走行路の周囲におけるエネルギー補給所の情報の表示態様とを分けて表示させる、
請求項９に記載の表示装置。
【請求項１１】
前記表示制御部は、
前記車両の走行履歴に含まれる走行路の周囲であって前記車両からの距離が所定距離以上であるエネルギー補給所の情報を前記リスト情報から除外する、
請求項９または１０に記載の表示装置。
【発明の詳細な説明】
【技術分野】
【０００１】
本発明は、表示装置に関する。
【背景技術】
【０００２】
車両に搭載される表示装置として、２つのディスプレイを備え、１のディスプレイが運転席側に設けられ、他のディスプレイが助手席側に設けられる表示装置が知られている（例えば、特許文献１参照）。この表示装置では、例えば、運転席側のディスプレイにドライバに向けた情報、例えば地図情報が表示され、助手席側のディスプレイに同乗者に向けた情報、例えば文字情報が表示される。文字情報としては、例えば、経路周辺の観光地、ガソリンスタンド、ゴルフ場、ファミリーレストラン、コンビニエンスストアなどの情報がある。また、２つのディスプレイに表示される情報は、１回の操作で地図情報を文字情報に切り替えられたり、文字情報を地図情報に切り替えられたりする。
【先行技術文献】
【特許文献】
【０００３】
【特許文献１】特許第３８０７９１８号公報
【発明の概要】
【発明が解決しようとする課題】
【０００４】
しかし、上記特許文献１に開示された表示装置では、どのような手順で２つのディスプレイにより情報を表示するかについて言及されていない。また、２つのディスプレイに異なる情報を表示するが、それぞれのディスプレイに対して独立した表示制御を行っている。このため、例えば運転席側のディスプレイに地図情報が表示されているときに、助手席側のディスプレイに表示された文字情報を地図情報に切り替えると、運転席側及び助手席側のディスプレイの双方に地図情報が表示される。したがって、２つのディスプレイの活用が十分でない場合があった。
【０００５】
本発明は、このような事情を考慮してなされたものであり、複数の表示部を十分に活用して情報を表示することができる表示装置を提供することを目的の一つとする。
【課題を解決するための手段】
【０００６】
この発明に係る表示装置は、以下の構成を採用した。
（１）：この発明の一態様に係る表示装置は、複数の表示部と、前記複数の表示部のそれぞれが表示する情報の内容を決定し、決定した情報を前記複数の表示部に表示させる表示制御部と、乗員による選択操作を受け付ける受付部と、を備え、前記表示制御部は、前記複数の表示部に含まれる第１表示部に、複数の選択肢を含むリスト情報を表示させた状態で、前記複数の選択肢の一つを第１の態様で選択する操作が前記受付部により受け付けられた場合に、前記第１の態様で選択された選択肢に関連する関連情報を前記複数の表示部のうち前記第１表示部とは異なる第２表示部に表示させるものである。
【０００７】
（２）：上記（１）の態様において、前記表示制御部は、前記第１の態様で選択された選択肢が第２の態様で選択された場合に、前記関連情報を前記第１表示部に表示させるものである。
【０００８】
（３）：上記（２）の態様において、前記表示制御部は、前記第１の態様で選択された選択肢が第２の態様で選択された場合に、前記関連情報を表示する前に前記第２表示部に表示されていた情報を、前記第２表示部に表示させるものである。
【０００９】
（４）：上記（２）の態様において、前記表示制御部は、前記第１の態様で選択された選択肢が第２の態様で選択された場合に、前記リスト情報を前記第２表示部に表示させるものである。
【００１０】
（５）：上記（２）の態様において、前記表示制御部は、前記第１の態様で選択された選択肢が第２の態様で選択された場合に、所定時間が経過するまで前記リスト情報を前記第２表示部に表示させ、前記第２表示部に前記リスト情報を表示させた状態で、前記所定時間の間、前記複数の選択肢に対する操作が前記受付部により受け付けられなかった場合に、前記関連情報が表示される前に前記第２表示部に表示されていた情報を前記第２表示部に表示させるものである。
【００１１】
（６）：上記（１）から（５）のいずれかの態様において、前記表示制御部は、前記受付部により交換指示操作が受け付けられた場合に、前記第１表示部に表示させる情報と前記第２表示部に表示させる情報とを交換させるものである。
【００１２】
（７）：上記（４）または（５）の態様において、前記第１表示部及び前記第２表示部は、運転席及び助手席を有する車両に設けられ、前記第１表示部は、前記第２表示部よりも前記運転席に近い側に配置され、前記第２表示部は、前記第１表示部よりも前記助手席に近い側に配置されており、前記表示制御部は、前記第２表示部に表示されたリスト情報に含まれた選択肢のうち、前記第１の態様で選択された選択肢が第２の態様で選択された場合に、前記第１表示部に前記関連情報を継続して表示させるものである。
【００１３】
（８）：上記（７）の態様において、前記表示制御部は、前記第２表示部に表示されたリスト情報に含まれた選択肢のうち、前記第１の態様で選択された選択肢が第２の態様で選択された場合に、前記第２表示部に前記リスト情報を継続して表示させ、または前記リスト情報が表示される前に前記第２表示部に表示されていた情報を前記第２表示部に表示させるものである。
【００１４】
（９）：上記（１）から（８）のいずれかの態様において、前記リスト情報は、エネルギー補給所のリストに関する情報であり、前記表示制御部は、表示装置を搭載する車両の走行履歴及び走行予定の少なくとも一方に基づいて、前記第１表示部及び前記第２表示部の少なくとも一方に表示させるリスト情報を生成するものである。
【００１５】
（１０）：上記（９）の態様において、前記表示制御部は、前記走行履歴に含まれる走行路の周囲におけるエネルギー補給所の情報の表示態様と、前記走行予定に含まれる走行路の周囲におけるエネルギー補給所の情報の表示態様とを分けて表示させるものである。
【００１６】
（１１）：上記（９）または（１０）の態様において、前記表示制御部は、前記車両の走行履歴に含まれる走行路の周囲であって前記車両からの距離が所定距離以上であるエネルギー補給所の情報を前記リスト情報から除外するものである。
【発明の効果】
【００１７】
（１）〜（１１）によれば、複数の表示部を十分に活用して情報を表示することができる。
（３）、（５）、によれば、操作性を向上させることができる。
（４）によれば、リスト情報の選択肢のやり直しを容易とすることができる。
（６）によれば、情報を容易に共有させることができる。
（７）によれば、ドライバのリスト情報の操作性及び視認性向上させることができる。
（８）によれば、アシスタントによるリスト情報の選択肢のやり直しを容易とすることができる。
（９）〜（１１）によれば、エネルギー補給に適したエネルギー補給所を表示できる。
【図面の簡単な説明】
【００１８】
【図１】第１実施形態の表示装置１００の構成を示すブロック図である。
【図２】第１実施形態の表示装置１００に表示される画面の一例を示す図である。
【図３】第１実施形態の表示装置１００において実行される処理の流れの一例を示すフローチャートである。
【図４】第１実施形態の表示装置１００の表示態様の変遷の一例を示す図である。
【図５】第１実施形態の表示装置１００の表示態様の変遷の一例を示す図である。
【図６】第２実施形態の表示装置１００において実行される処理の流れの一例を示すフローチャートである。
【図７】第２実施形態の表示装置１００の表示態様の変遷の一例を示す図である。
【図８】第３実施形態の表示装置１００に表示される画面の一例を示す図である。
【図９】第３実施形態の表示装置１００において実行される処理の流れの一例を示すフローチャートである。
【図１０】第３実施形態の表示装置１００の表示態様の変遷の一例を示す図である。
【図１１】第３実施形態の表示装置１００の表示態様の変遷の一例を示す図である。
【発明を実施するための形態】
【００１９】
以下、図面を参照し、本発明の表示装置の実施形態について説明する。表示装置は、車両内に設けられた複数の表示部にコンテンツを表示させる表示装置である。車両は、例えば電気自動車である。車両は、電気自動車以外の車両でもよく、いわゆるガソリン自動車やハイブリッド自動車でもよい。
【００２０】
＜第１実施形態＞
図１は、第１実施形態の表示装置１００の構成を示すブロック図である。表示装置１００は、例えば、受付部１１０と、表示制御部１３０と、第１表示部１７０と、第１表示部１７０とは異なる第２表示部１８０とを備える。表示装置１００は、例えば車両に搭載される車両用表示装置である。
【００２１】
第１表示部１７０と第２表示部１８０は、「複数の表示部」の一例である。第１表示部１７０と第２表示部１８０は、例えば、互いに隣接して設けられた二つのタッチパネル式の表示装置である。また、第１表示部１７０と第２表示部１８０は、一つの表示装置の互いに異なる領域であってもよい。また、タッチパネル式の表示装置である第１表示部１７０と第２表示部１８０に代えてまたは加えて、タッチパッドやコマンダー等の遠隔デバイスを用いてもよい。
【００２２】
受付部１１０の一部及び表示制御部１３０の一部または全部の各構成要素は、例えば、ＣＰＵ（Central Processing Unit）などのハードウェアプロセッサがプログラム（ソフトウェア）を実行することにより実現される。これらの構成要素のうち一部または全部は、ＬＳＩ（Large Scale Integration）やＡＳＩＣ（Application Specific Integrated Circuit）、ＦＰＧＡ（Field-Programmable Gate Array）、ＧＰＵ（Graphics Processing Unit）などのハードウェア（回路部；circuitryを含む）によって実現されてもよいし、ソフトウェアとハードウェアの協働によって実現されてもよい。プログラムは、予めＨＤＤ（Hard Disk Drive）やフラッシュメモリなどの記憶装置（非一過性の記憶媒体を備える記憶装置）に格納されていてもよいし、ＤＶＤやＣＤ−ＲＯＭなどの着脱可能な記憶媒体（非一過性の記憶媒体）に格納されており、記憶媒体がドライブ装置に装着されることでインストールされてもよい。
【００２３】
受付部１１０は、例えば乗員の操作を受け付ける。受付部１１０は、例えば、第１受付部１１２と、第２受付部１１４とを備える。第１受付部１１２は、例えば、第１表示部１７０に設定されたＧＵＩ（Graphical User Interface）スイッチにより、乗員の操作を受け付ける。第２受付部１１４は、例えば、第２表示部１８０に設定されたＧＵＩスイッチにより乗員の操作を受け付ける。ＧＵＩスイッチは、例えば選択ボタンなどの形態で表示される。
【００２４】
図２は、表示装置１００に表示される画面の一例を示す図である。図２に示すように、第１表示部１７０には、第１操作領域１７２、第１画像表示領域１７４、第１選択項目表示領域１７６、及び第１決定スイッチ１７８が設定される。ＧＵＩスイッチは、例えば第１操作領域１７２及び第１画像表示領域１７４に表示される。また、第１決定スイッチ１７８は、ＧＵＩスイッチである。この状態において、第１操作領域１７２、第１画像表示領域１７４、及び第１決定スイッチ１７８が第１受付部１１２の一部を構成する。
【００２５】
第２表示部１８０には、第２操作領域１８２、第２画像表示領域１８４、第２選択項目表示領域１８６、及び第２決定スイッチ１８８が設定される。ＧＵＩスイッチは、例えば第２操作領域１８２及び第２画像表示領域１８４に表示される。また、第２決定スイッチ１８８は、ＧＵＩスイッチである。第１表示部１７０は、例えば車内のダッシュボードにおいて運転席側又は中央に設置され、第２表示部１８０よりも運転席に近い位置に配置される。第２表示部１８０は、車内の助手席側に設置され、第１表示部１７０よりも助手席に近い位置に配置される。この状態において、第２操作領域１８２、第２画像表示領域１８４、及び第２決定スイッチ１８８が第２受付部１１４の一部を構成する。
【００２６】
表示制御部１３０は、表示画像を含むコンテンツを生成し（或いは取得し）、受付部１１０により受け付けられた操作結果に基づいて、第１表示部１７０と第２表示部１８０の一方又は双方にコンテンツを表示させる。
【００２７】
表示制御部１３０は、第１表示部１７０と第２表示部１８０のいずれかにコンテンツが表示されている状態において、受付部１１０により操作が受け付けられた場合、受け付けられた操作に応じて、既に表示されていたコンテンツの表示態様を変更する。「表示態様を変更する」とは、例えば、表示位置を変更する、表示を停止する、表示領域を拡大又は縮小すること等の動作を含むことがある。表示制御部１３０は、例えば、第１表示部１７０の表示内容を第２表示部１８０に表示させたり、第２表示部１８０に以前に表示されていた表示内容を第２表示部１８０に再度表示させたりする。
【００２８】
第２表示部１８０は、右ハンドル車の場合、第１表示部１７０の左側に配置される。左ハンドル車の場合は、左右が逆に配置される。以下、右ハンドル車の構成を例示するが、左ハンドル車の構成については左右を読み替えればよい。
【００２９】
［表示装置の表示態様］
次に、表示装置１００の表示態様について説明する。第１表示部１７０の第１操作領域１７２は高さ方向中央位置の運転席に近い側に配置され、第１画像表示領域１７４は、第１操作領域１７２の左側（助手席側）の広い領域に配置されている。第１選択項目表示領域１７６は、第１操作領域１７２の上方に配置され、第１決定スイッチ１７８は、第１操作領域１７２の下方に配置されている。
【００３０】
第１操作領域１７２には、操作子となるＧＵＩスイッチ複数が表示される。第１操作領域１７２には、操作子を含む画像が表示される場面と、操作子を含まない画像が表示される場面とがある。図２に示す例では、第１操作領域１７２には、複数の操作子が表示されており、各操作子には、選択の対象となる項目が表示されている。第１画像表示領域１７４には、第１操作領域１７２や第１画像表示領域１７４等に表示された操作子の操作に応じた画像が表示される。第１画像表示領域１７４には、複数の選択肢（操作子）となるＧＵＩスイッチが表示される。第１画像表示領域１７４には、操作子を含む画像が表示される場面と、操作子を含まない画像が表示される場面とがある。図２に示す例では、第１画像表示領域１７４には、複数の充電ステーションの選択肢が操作子として表示されている。各選択肢には、充電ステーションの名称が表示されている。第１操作領域１７２及び第１画像表示領域１７４は、操作子となるＧＵＩスイッチが表示された場合に、それぞれ第１受付部１１２の一部として機能する。
【００３１】
第１選択項目表示領域１７６には、第１操作領域１７２で選択された項目の名称が表示される。第１決定スイッチ１７８には、第１画像表示領域１７４に表示された選択肢が仮決定されているとき「決定」の文字が表示される。「決定」の文字が表示されているときに第１決定スイッチ１７８が操作されると、仮決定されていた選択肢が本決定となる。第１決定スイッチ１７８は、「決定」の文字が表示された場合に、第１受付部１１２の一部として機能する。仮決定する操作は、第１態様での操作の一例であり、本決定する操作は、第２の態様の操作の一例である。仮決定する操作や本決定する操作は、上記の操作に限らず、他の操作でもよい。例えば、本決定する操作は、仮決定された選択肢を再度選択する操作でもよい。
【００３２】
第１表示部１７０と同様に、第２表示部１８０には、第２操作領域１８２、第２画像表示領域１８４、第２選択項目表示領域１８６、及び第２決定スイッチ１８８を含む表示画像が表示される。第２操作領域１８２、第２画像表示領域１８４、第２選択項目表示領域１８６、及び第２決定スイッチ１８８は、いずれも第１表示部１７０における第１操作領域１７２、第１画像表示領域１７４、第１選択項目表示領域１７６、及び第１決定スイッチ１７８と同様に機能する。図２においては図示しないが、第２操作領域１８２及び第２画像表示領域１８４には、第１操作領域１７２及び第１画像表示領域１７４と同様に操作子が画像で表示されることがある。これらの操作子は、第２受付部１１４の一部として機能する。また、第２選択項目表示領域１８６には、第２操作領域１８２で選択された項目の名称が表示されることがあり、第２決定スイッチ１８８には「決定」の文字が表示されることがある。第２決定スイッチ１８８は、第１決定スイッチ１７８と同様に、「決定」の文字が表示された場合に、第２受付部１１４の一部として機能する。
【００３３】
第１操作領域１７２は、右ハンドル車の場合、第１表示部１７０の右側に配置されており、助手席に着座している同乗者（人物、以下「アシスタント」という）よりもドライバが操作しやすくなっている。第２操作領域１８２は、右ハンドル車の場合、第２表示部１８０の左側に配置されており、ドライバよりもアシスタントが操作しやすくなっている。
【００３４】
例えば、図示しないナビゲーション装置が目的地まで自車両をナビゲーションする際、表示装置１００は、目的地を決定するための情報を表示する。続いて、表示装置１００は、自車両をナビゲーションするためのナビゲーション情報を表示する。ナビゲーション情報には地図情報が含まれる。図２に示す表示態様では、ナビゲーションの目的地を決定する状況で各種の情報が表示されており、第１操作領域１７２に表示された各操作子には、例えば、第１表示部１７０の第１画像表示領域１７４に表示するコンテンツの名称が表示されている。図２に示す例では、複数の操作子に「充電ステーション」「レストラン」「駅」等の各項目の名称がそれぞれ表示されている。これらの項目は、目的地となりえる施設をジャンル分けした項目である。表示制御部１３０は、受付部１１０がこれらの項目を選択する操作を受け付けたときに、操作を受け付けた項目のリスト情報を第１画像表示領域１７４に表示させる。第１操作領域１７２に表示される項目を選択する操作は、例えば、各項目が表示された操作子を乗員がタッチする操作である。
【００３５】
表示制御部１３０は、第１操作領域１７２に表示された項目の１つが選択されて受付部１１０が受け付けたときには、例えば受け付けられた項目を第１選択項目表示領域１７６に表示させる。図２に示す状態では、第１操作領域１７２に表示された項目の中から充電ステーションの項目が選択されている。第１操作領域１７２の上方に配置された第１選択項目表示領域１７６には、現在選択されている「充電ステーション」の項目が表示されている。
【００３６】
表示制御部１３０は、第１画像表示領域１７４に充電ステーションのリストに関するリスト情報を表示させる。表示制御部１３０は、情報ステーションのリスト情報としては、複数の選択肢（操作子）、例えば５個の第１選択肢Ｅ１〜第５選択肢Ｅ５を第１画像表示領域１７４に表示させる。第１画像表示領域１７４に表示されるリスト情報としては、自車両の近傍における複数の充電ステーションの名称がとして表示されている。例えば、第１選択肢Ｅ１には「Ａステーション」の文字が表示され、第２選択肢Ｅ２には「Ｂステーション」の文字が表示されている。第３選択肢Ｅ３には「Ｃステーション」の文字が表示され、第４選択肢Ｅ４には「Ｄステーション」の文字が表示され、第５選択肢Ｅ５には「Ｅステーション」の文字が表示されている。
【００３７】
表示制御部１３０は、第１操作領域１７２における項目を選択する操作を受け付ける前には、第２画像表示領域１８４に任意の画像を表示させている。表示制御部１３０は、第１操作領域１７２の操作によって選択された項目のリスト情報を表示させた場合に、充電ステーションに関連する関連情報である地図情報を第２画像表示領域１８４に表示させる。表示制御部１３０は、第１画像表示領域１７４に表示された各選択肢の位置を、それぞれ第２画像表示領域１８４に表示された地図情報上にシンボルで表示させる。
【００３８】
第２画像表示領域１８４に表示された地図情報上には、自車両の位置が自車両マークＰＭによって示され、リスト情報に表示される選択肢である充電ステーションの位置が第１シンボルＰ１〜第５シンボルＰ５によって示される。なお、自車両マークＰＭについては、表示されないようにしてもよい。第１シンボルＰ１は、Ａステーションの位置を示し、第２シンボルＰ２は、Ｂステーションの位置を示している。第３シンボルＰ３は、Ｃステーションの位置を示し、第４シンボルＰ４は、Ｄステーションの位置を示し、第５シンボルＰ５は、Ｅステーションの位置を示している。このように、表示制御部１３０は、リスト情報に含まれるすべての充電ステーションの位置情報を第２画像表示領域１８４に表示する。表示制御部１３０は、リスト情報にある充電ステーションの一部の位置情報を第２画像表示領域１８４に表示するようにしてもよい。これらの第１シンボルＰ１〜第５シンボルＰ５は、例えば番号付きのフラグで表示してもよい。
【００３９】
表示制御部１３０は、第１画像表示領域１７４に表示されたリスト情報の選択肢を選択する操作（選択操作）を受付部１１０が受け付けた場合に、選択された選択肢を仮決定する。リスト情報の選択肢を選択する操作で選択された選択肢が、「第１の態様で選択された選択肢」である。選択肢を選択する操作（選択肢を仮決定する操作）は、例えば、第１画像表示領域１７４における選択肢を車両の乗員がタッチする操作でもよいし、例えば、選択肢間を移動するカーソルを表示し、カーソルを選択肢に重ねる操作でもよい。後者の場合、カーソルが選択肢と重なっている状態が仮選択された状態となる。表示制御部１３０は、選択肢を仮決定した場合に、第２画像表示領域１８４において、仮決定された選択肢に応じた充電ステーションの位置を示すシンボルを強調表示する。強調表示はどのような態様で行ってもよく、例えば、強調表示する対象を明るくしてもよいし、強調表示する対象を大きく（または太く）したり、形状を変えたりしてもよい。
【００４０】
表示制御部１３０は、仮決定された選択肢と異なる選択肢を選択する操作を受付部１１０が受け付けた場合に、仮決定された選択肢を、今回操作された選択肢に変更する。表示制御部１３０は、選択された選択肢を変更した場合に、第２画像表示領域１８４において、強調表示するシンボルを、変更された選択肢に応じた充電ステーションの位置を示すシンボルに変更する。
【００４１】
受付部１１０が第１画像表示領域１７４に表示された選択肢を選択する操作を受け付けたときや、第１決定スイッチ１７８の操作を受け付けたとき等に、表示制御部１３０は、第１表示部１７０及び第２表示部１８０の表示を変更する。以下、表示制御部１３０における処理について説明する。
【００４２】
［処理フロー］
次に、表示装置１００における処理フローについて説明する。図３は、表示装置１００において実行される処理の流れの一例を示すフローチャートである。以下のフローチャートは、表示装置１００の電源がオン状態となり、第１画像表示領域１７４に地図情報が表示された後に実行される。また、以下のフローチャートでは、ナビゲーション装置によって自車両をナビゲーションする際の目的地である充電ステーションを決定して、ナビゲーションを開始するまでの処理について説明する。
【００４３】
表示制御部１３０は、第１操作領域１７２に表示された充電ステーションの操作子を選択する操作を受付部１１０が受け付けて、充電ステーションの項目を第１画像表示領域１７４に表示させる操作があったか否かを判定する（ステップＳ１００）。充電ステーションの操作子を選択する操作を受付部１１０が受け付けなかった場合、表示制御部１３０は、充電ステーションの操作子を選択する操作を受付部１１０が受け付けるまでステップＳ１００の処理を繰り返す。なお、充電ステーションの項目を選択する操作がある前に他の項目の操作子を選択する操作を受付部１１０が受け付けた場合には、表示制御部１３０は、他の項目の操作子を選択する操作を受け付けた場合に応じた処理を行う。
【００４４】
充電ステーションの操作子を選択する操作を受付部１１０が受け付けた場合、表示制御部１３０は、第１画像表示領域１７４に充電ステーションのリスト情報を表示させる（ステップＳ１０２）。次に、表示制御部１３０は、第２画像表示領域１８４に自車両の周辺の地図情報を表示させる（ステップＳ１０４）。続いて、表示制御部１３０は、第１画像表示領域１７４に表示された選択肢を選択する操作を受付部１１０が受け付けたか否かを判定する（ステップＳ１０６）。
【００４５】
第１画像表示領域１７４に表示された選択肢を選択する操作を受付部１１０が受け付けていない場合、表示制御部１３０は、ステップＳ１０６の処理を繰り返す。第１画像表示領域１７４に表示された選択肢を選択する操作を受付部１１０が受け付けた場合、表示制御部１３０は、選択する操作を受けた選択肢を仮決定して強調表示する（ステップＳ１０８）。
【００４６】
次に、表示制御部１３０は、第１決定スイッチ１７８の操作を受付部１１０が受け付けたか否かを判定する（ステップＳ１１０）。第１決定スイッチ１７８の操作を受付部１１０が受け付けていない場合、表示制御部１３０は、ステップＳ１０８に戻る。第１決定スイッチ１７８の操作を受付部１１０が受け付けた場合、表示制御部１３０は、仮決定された選択肢を本決定する（ステップＳ１１２）。
【００４７】
表示制御部１３０は、第１画像表示領域１７４に地図情報を含むナビゲーション情報を表示させる（ステップＳ１１４）。ナビゲーション情報は、自車両の位置と本決定された選択肢に対応する充電ステーションの位置が地図情報に表示された情報である。第１画像表示領域１７４にナビゲーション情報が表示されることにより、ナビゲーション装置によるナビゲーションが開始される。続いて、表示制御部１３０は、ステップＳ１０４において第２画像表示領域１８４に地図情報を表示させる前に表示させていた情報を第２画像表示領域１８４に表示させる（ステップＳ１１６）。こうして、表示装置１００は、図３に示す処理を終了する。
【００４８】
［表示装置の表示態様の変遷］
次に、表示装置１００の表示態様の変遷について説明する。図４及び図５は、表示装置１００の表示態様の変遷の一例を示す図である。図４（Ａ）に示すように、第１操作領域１７２に表示された「充電ステーション」「レストラン」「駅」などの各項目の操作子を選択する操作がされる前は、表示制御部１３０は、第１画像表示領域１７４に地図情報を表示させ、自車両の周囲の情報をドライバに提供し、ドライバの運転を手助けする。表示制御部１３０は、第２画像表示領域１８４に任意の画像、例えばアシスタントの好みの情報を提供する画像を表示させる。なお、第１操作領域１７２に表示される情報は、「充電ステーション」「レストラン」「駅」などの項目に限らず、他の情報でもよい。例えば、第１操作領域１７２に表示される情報は、車載機能の選択肢、例えば、車両で利用可能なアプリの選択肢などであってもよい。この場合、充電ステーションに関する情報、例えば充電ステーションの場所を表示するアプリが選択肢の中に含まれていてもよい。
【００４９】
次に、第１操作領域１７２に表示される「充電ステーション」の項目を示す操作子をドライバが操作し、その操作を受付部１１０が受け付けると、表示制御部１３０は、図４（Ｂ）に示すように、選択された「充電ステーション」の操作子を暗転させる。なお、この場合に、「充電ステーション」の操作子を暗転させないようにしてもよい。表示制御部１３０は、選択された項目である「充電ステーション」を第１選択項目表示領域１７６に表示させ、第１画像表示領域１７４に充電ステーションのリスト情報を表示させる。リスト情報は、複数の選択肢を含む。なお、第１選択項目表示領域１７６には、情報を表示しないようにしてもよい。
【００５０】
表示制御部１３０は、リスト情報として、第１選択肢Ｅ１〜第５選択肢Ｅ５の選択肢を表示させる。なお、表示制御部１３０は、第１表示部１７０に第１選択肢Ｅ１〜第５選択肢Ｅ５の選択肢を表示させた後は、図４（Ｃ）に示すように、第１操作領域１７２の表示を消去し、第１決定スイッチ１７８に「決定」の文字を表示させる。なお、図４（Ｃ）においては、リストの先頭の第１選択肢Ｅ１が仮選択された例を示しているが、ユーザが操作を行うまで仮選択がされていない状態となるようにしてもよい。
【００５１】
このとき、表示制御部１３０は、自車両がこれから走行する先にあると想定される充電ステーション（以下、「対象充電ステーション」という）に対応する選択肢を明るく表示する。表示制御部１３０は、自車両が通り過ぎた道や、自車両が引き返さないと通れない道にある充電ステーション（以下、「非対象充電ステーション」という）に対応する選択肢を暗く表示する。表示制御部１３０は、例えば、自車両から所定距離未満の充電ステーションを対象充電ステーションと非対象充電ステーションとし、所定距離以上の範囲にある充電ステーションをリスト情報から除外する。
【００５２】
図４（Ｂ）に示す例では、Ａステーション、Ｂステーション、及びＣステーションが対象充電ステーションであり、Ｄステーション及びＥステーションが非対象充電ステーションである。表示制御部１３０は、Ａステーション、Ｂステーション、及びＣステーションをそれぞれ示す第１選択肢Ｅ１、第２選択肢Ｅ２、及び第３選択肢Ｅ３を明るく表示し、Ｄステーション及びＥステーションをそれぞれ示す第４選択肢Ｅ４及び第５選択肢Ｅ５を暗く表示する。表示制御部１３０は、自車両の走行履歴及び走行予定を例えば図示しないナビゲーション装置から取得し、自車両の走行履歴に基づいて、非対象充電ステーションを判定する。また、自車両の走行予定に基づいて、対象充電ステーションを判定する。表示装置１００は、第１操作領域１７２に表示される充電ステーションの全てを対象充電ステーションと非対象充電ステーションに分類してもよいし、分類できる範囲で対象充電ステーションと非対象充電ステーションに分類してもよい。
【００５３】
表示制御部１３０は、第２画像表示領域１８４に地図情報を表示させるとともに、各充電ステーションの位置を第１シンボルＰ１から第５シンボルＰ５によってそれぞれ表示させる。表示制御部１３０は、第１シンボルＰ１から第５シンボルＰ５を同様の態様で表示させるが、例えば、対象充電ステーションと非対象充電ステーションの位置を示すシンボルを異なる態様で表示させてもよい。この場合、表示制御部１３０は、例えば、対象充電ステーションを示すシンボルを明るく表示させ、非対象充電ステーションを示すシンボルを暗く表示させてもよい。また、非対象充電ステーションを示す選択肢やシンボルは表示させなくてもよい。
【００５４】
次に、第１画像表示領域１７４に表示される複数の選択肢の一つ、例えば「Ａステーション」の第１選択肢Ｅ１をドライバが操作し、その操作を受付部１１０が受け付けると、表示制御部１３０は、「Ａステーション」を仮決定する。続いて、表示制御部１３０は、図４（Ｃ）に示すように、第１画像表示領域１７４に表示された第１選択肢Ｅ１を強調表示する。さらに、表示制御部１３０は、第２画像表示領域１８４に表示された複数のシンボルのうち、Ａステーションの位置を示す第１シンボルＰ１を強調表示する。表示制御部１３０は、第１選択肢Ｅ１を強調表示することで、第１選択肢Ｅ１に示すＡステーションが仮決定されたことをドライバに提示する。また、表示制御部１３０は、第１シンボルＰ１を強調することで、仮決定されたＡステーションの位置をドライバが分かりやすくなるように提示する。また、表示制御部１３０は、第１操作領域１７２に表示されていた各項目の操作子を消去する。このため、第１操作領域１７２の中から項目が選択されないようになっている。なお、第１操作領域１７２に表示されていた各項目の操作子を表示したままとしておいてもよい。また、図４（Ｃ）において、ユーザが操作を行っておらず、仮選択がされていない状態では、第２画像表示領域１８４における第１シンボルＰ１のような強調表示を行わず、他の第２シンボルＰ２〜第５シンボルＰ５と同様の表示を行うようにしてもよい。
【００５５】
次に、例えば第１画像表示領域１７４に表示される「Ｂステーション」を示す選択肢をドライバが操作し、その操作を受付部１１０が受け付けると、表示制御部１３０は、仮決定された充電ステーションを「Ａステーション」から「Ｂステーション」に変更する。この場合、表示制御部１３０は、図５（Ａ）に示すように、第１画像表示領域１７４に表示された第１選択肢Ｅ１の強調表示を終了させるとともに、第２選択肢Ｅ２を強調表示させる。表示制御部１３０は、第２画像表示領域１８４に表示された第１シンボルＰ１の強調表示を終了させるとともに、第２シンボルＰ２を強調表示させる。こうして、表示制御部１３０は、仮決定された充電ステーションが変更されたことをドライバに提示する。
【００５６】
その後、例えば図４（Ｃ）に示す状態で第１決定スイッチ１７８をドライバが操作し、その操作を受付部１１０が受け付けると、表示制御部１３０は、図５（Ｂ）に示すように、第１決定スイッチ１７８を暗転させる。なお、この場合に、第１決定スイッチ１７８を暗転させないようにしてもよい。このとき、表示制御部１３０は、自車両の行き先となる充電ステーションとして「Ａステーション」を本決定する。
【００５７】
表示制御部１３０は、「Ａステーション」を本決定した後、第２画像表示領域１８４に表示されていた情報である自車両マークＰＭと第１シンボルＰ１から第５シンボルＰ５が表示された地図情報を、ナビゲーション情報として、図５（Ｃ）に示すように、第１画像表示領域１７４に表示させる。また、表示制御部１３０は、第１操作領域１７２に表示されていた各項目の操作子（図４（Ｂ）参照）を第１操作領域１７２に表示させ、第１選択項目表示領域１７６及び第１決定スイッチ１７８の表示を消去させる。そして、表示制御部１３０は、自車両マークＰＭから第１シンボルＰ１までの道を示す画像を強調表示する。表示制御部１３０は、第２画像表示領域１８４に地図情報を表示させる前に表示させていた情報（図４（Ａ）に示す情報）を、第２画像表示領域１８４に表示させる。また、表示制御部１３０は、第１操作領域１７２、第１画像表示領域１７４、及び第１決定スイッチ１７８の表示を、図４（Ａ）に示す状態に戻す。こうして、一連の表示装置１００の表示動作が行われる。なお、上記の例では、表示制御部１３０は、図４（Ｂ）において、第２画像表示領域１８４に表示される地図情報に、自車両マークやシンボルを表示させるが、この段階ではまだ自車両マークやシンボルを表示させないようにしてもよい。この場合、例えば、地図情報を第１画像表示領域１７４に表示させる際に、ナビゲーション情報として表示させるようにしてもよい。また、このときに第１操作領域１７２に表示させる情報を、車両で利用可能なアプリの選択肢の情報などとしてもよい。
【００５８】
このように、第１実施形態の表示装置１００は、第１表示部１７０に表示されるリスト情報に含まれる第１選択肢Ｅ１から第５選択肢Ｅ５のうち１つの選択を受け付けて仮決定した場合に、地図情報及び選択された選択肢の充電ステーションの位置を第２表示部１８０に表示する。このため、２つの表示部である第１表示部１７０と第２表示部１８０を十分に活用して情報を表示することができる。
【００５９】
また、第１実施形態の表示装置１００では、リスト情報は、ドライバに近い第１表示部１７０に表示されるので、ドライバがリスト情報の選択肢を操作する際の操作性及びリスト情報の視認性が向上する。また、第１実施形態の表示装置１００は、第１表示部１７０に表示されるリスト情報に含まれる第１選択肢Ｅ１から第５選択肢Ｅ５のうち１つが選択されて仮決定された後、第１決定スイッチ１７８の操作を受け付けることにより、第２画像表示領域１８４に表示されていた地図情報等を第１画像表示領域１７４に表示させる。このため、第１表示部１７０の機能をドライバが使用しやすくなるようにすることができる。
【００６０】
また、第１表示部１７０及び第２表示部１８０等の複数の表示部がある場合、車両の乗員の乗り込み位置によって使用しやすい表示部、視認しやすい表示部が変化する。例えば、ドライバは、選択肢（充電ステーション）の本決定前は、リスト情報に含まれる選択肢を選択するためにはリスト情報を視認することが重要となり、本決定後は、選択した内容に関わる地図情報を視認することの方が重要になる。この点、第１実施形態の表示装置１００では、例えば、ドライバの操作によってリスト情報が第１表示部１７０に表示された場合に、選択肢（充電ステーション）の本決定前は、第１表示部１７０にリスト情報を表示し、選択肢の本決定後は、第１画像表示領域１７４の表示をリスト情報から地図情報に変更する。したがって、表示部１７０及び第２表示部１８０において、ドライバ等の乗員に適した情報を表示することができる。
【００６１】
また、第１実施形態の表示装置１００では、運転席に近い側に配置される第１表示部１７０に、第１操作領域１７２、第１画像表示領域１７４、第１選択項目表示領域１７６、及び第１決定スイッチ１７８が設けられている。このため、運転席に着座するドライバが、これらの表示を見やすくなるようにすることができるとともに、これらの表示に含まれるスイッチ類を操作し易くさせることができる。さらに、第１実施形態の表示装置１００では、助手席に近い側に配置される第２表示部１８０に、第２操作領域１８２、第２画像表示領域１８４、第２選択項目表示領域１８６、及び第２決定スイッチ１８８が設けられている。このため、助手席に着座するアシスタントについても、ドライバと同様に、これらの表示を見やすくなるようにすることができるとともに、これらの表示に含まれるスイッチ類を操作し易くさせることができる。
【００６２】
なお、第１実施形態の表示装置１００は、スイッチ類、例えば第１操作領域１７２、第１画像表示領域１７４、第２操作領域１８２、第２画像表示領域１８４に表示される選択肢や第１決定スイッチ１７８、第２決定スイッチ１８８はＧＵＩによって形成されるが、ＧＵＩに代えて、ＧＵＩ以外の操作ボタンなどを用いてもよい。ＧＵＩ以外の操作ボタンは、例えば、表示装置１００の近傍の周囲に配置してもよいし、表示装置１００の内側に表示してもよい。操作ボタンを表示装置１００の周囲に配置する場合には、例えば、表示装置１００の右側（運転席側）、左側（助手席側）、上側、左側など、どのような位置に配置してもよい。
【００６３】
また、第１実施形態の表示装置１００は、第２画像表示領域１８４に表示されていた地図情報等を第１画像表示領域１７４に表示させた後は、地図情報を表示する前に第２画像表示領域１８４に表示されていた情報を第２画像表示領域１８４に表示させる。このため、充電ステーションの位置を表示した後は、第２画像表示領域１８４にもともと表示されていた情報を表示するので、例えば操作性が向上するとともに、第２表示部１８０では、アシスタントが好む情報を表示することができる。
【００６４】
また、第１実施形態の表示装置１００では、充電ステーションを走行予定の走行路の周囲における対象充電ステーションと走行予定の走行路の周囲以外の非対象充電ステーションに分類し、対象充電ステーションの中から目的となる充電ステーションを選択している。このため、自車両の充電不足を起こしにくくすることができる。
【００６５】
なお、第１実施形態の表示装置１００では、自車両が電気自動車であることから、充電ステーションがエネルギー補給所となり、エネルギー補給所を選択肢とすることがあるが、自車両の種類によってエネルギー補給所が異なるようにしてもよい。例えば、自車両がガソリン自動車である場合には、ガソリンスタンドをエネルギー補給所としてもよいし、燃料電池自動車であれば、水素スタンドをエネルギー補給所としてもよい。
【００６６】
また、充電ステーション等の選択肢については、選択肢の付加情報を合わせて表示するようにしてもよい。選択肢の付加情報としては、例えば、充電ステーションであれば、その利用状況（空いているか満員であるか、想定待ち時間等）、キャパシティ（同時に何台まで充電可能であるか）、ユーザの評価（レーティング）、充電ステーションの外観画像などの情報を挙げることができる。その他、選択肢がガソリンスタンドであればガソリンの販売単価、選択肢がレストランであれば、メニューや平均客単価などの情報を付加情報としてもよい。付加情報は、例えば、表示装置１００における第１表示部１７０及び第２表示部１８０のいずれに表示してもよく、例えば、地図情報とともに表示してもよいし、リスト情報とともに表示してもよい。また、これらの情報とは別個に表示してもよい。第１操作領域１７２、第１画像表示領域１７４、第２操作領域１８２、第２画像表示領域１８４に表示される選択肢や、これらの付加情報について、トグルを操作して選択できるようにしてもよい。
【００６７】
＜第２実施形態＞
次に、本発明の第２実施形態について説明する。第１実施形態の表示装置１００では、ナビゲーション装置による目的地を決定して、第１画像表示領域１７４にナビゲーション情報を表示した後、第２画像表示領域１８４には、地図情報を表示する前に第２画像表示領域１８４に表示されていた情報を表示させる。これに対して、第２実施形態の表示装置１００では、ナビゲーション装置による目的地を決定して、第１画像表示領域１７４にナビゲーション情報を表示した後、第２画像表示領域１８４には、第１画像表示領域１７４に表示されていたリスト情報を表示する。
【００６８】
［処理フロー］
以下、第２実施形態の表示装置１００の処理及び表示態様の変遷について説明する。図６は、第２実施形態の表示装置１００において実行される処理の流れの一例を示すフローチャートである。以下のフローチャートは、第１実施形態と同様、表示装置１００の電源がオン状態となり、第１画像表示領域１７４に地図情報が表示された後に実行される。
【００６９】
第１画像表示領域１７４に地図情報が表示された直後は、表示装置１００は、上記第１実施形態と共通する、図３に示すフローチャートのステップＳ１００からステップＳ１１４までの処理を実行する。この処理を以下概説すると、表示制御部１３０は、第１操作領域１７２に表示された充電ステーションの操作子が選択されて充電ステーションの項目を選択する操作があったか否かを判定し（ステップＳ１００）、充電ステーションの項目を選択する操作があった場合、第１画像表示領域１７４に充電ステーションのリスト情報を表示させる（ステップＳ１０２）とともに、第２画像表示領域１８４に自車両の周辺の地図情報を表示させる（ステップＳ１０４）。続いて、表示制御部１３０は、第１画像表示領域１７４に表示された選択肢を選択する操作を受付部１１０が受け付けたか否かを判定し（ステップＳ１０６）、第１画像表示領域１７４に表示された選択肢を選択する操作を受付部１１０が受け付けた場合、選択する操作を受けた選択肢を仮決定して強調表示する（ステップＳ１０８）。次に、表示制御部１３０は、第１決定スイッチ１７８の操作を受付部１１０が受け付けたか否かを判定し（ステップＳ１１０）、第１決定スイッチ１７８の操作を受付部１１０が受け付けた場合、仮決定された選択肢を本決定する（ステップＳ１１２）。表示制御部１３０は、第１画像表示領域１７４に地図情報を含むナビゲーション情報を表示させる（ステップＳ１１４）。ここまでの処理は、第１実施形態と同様の処理である。
【００７０】
次に、表示制御部１３０は、第１画像表示領域１７４に表示させていた充電ステーションのリスト情報を第２画像表示領域１８４に表示させる（ステップＳ２００）。このように、第１画像表示領域１７４にナビゲーション情報を表示した後、充電ステーションのリスト情報を第２画像表示領域１８４に表示させることにより、ナビゲーション装置による目的地を容易に変更させることができる。また、第２画像表示領域１８４にリスト情報を表示させる際に、第２選択項目表示領域１８６に「充電ステーション」の文字を表示させるとともに、第２決定スイッチ１８８に「決定」の文字を表示させる。
【００７１】
次に、表示制御部１３０は、第２画像表示領域１８４に表示された選択肢を選択する操作を受付部１１０が受け付けたか否かを判定する（ステップＳ２０２）。第２画像表示領域１８４に表示された選択肢を選択する操作を受付部１１０が受け付けたと判定した場合、表示制御部１３０は、選択する操作を受けた選択肢を仮決定して準強調表示する（ステップＳ２０４）。準強調表示とは、強調表示よりも弱い態様で強調した表示である。
【００７２】
次に、表示制御部１３０は、第２決定スイッチ１８８の操作を受付部１１０が受け付けたか否かを判定する（ステップＳ２０６）。第２決定スイッチ１８８の操作を受付部１１０が受け付けていない場合、表示制御部１３０は、ステップＳ２０２に戻る。第２決定スイッチ１８８の操作を受付部１１０が受け付けた場合、表示制御部１３０は、仮決定された選択肢を本決定された選択肢に変更する（ステップＳ２０８）。このとき、すでに本決定されていた選択肢の本決定を解除する。続いて、表示制御部１３０は、第２画像表示領域１８４に表示された選択肢を選択する操作を受付部１１０の受付を解除し（ステップＳ２１０）、ステップＳ２０２に戻る。
【００７３】
ステップＳ２０２において、第２画像表示領域１８４に表示された選択肢を選択する操作を受付部１１０が受け付けていないと判定した場合、表示制御部１３０は、第２画像表示領域１８４に表示された選択肢を選択する操作を受付中であるか否かを判定する（ステップＳ２１０）。ステップＳ２０２において、第２画像表示領域１８４に表示された選択肢を選択する操作を受付部１１０が受け付け、またはいったん受け付けた受付部１１０の受付をステップＳ２１０で解除しておらず、選択する操作を受付中であると判定した場合、表示制御部１３０は、ステップＳ２０６に進む。
【００７４】
また、第２画像表示領域１８４に表示された選択肢を選択する操作を受付部１１０が一度も受け付けておらず、またはいったん受け付けた受付部１１０の受付をステップＳ２１０で解除しており、選択する操作を受付中でないと判定した場合、表示制御部１３０は、第２画像表示領域１８４にリスト情報を表示してから所定時間、例えば３０秒間が経過したか否かを判定する（ステップＳ２１２）。所定時間は、任意の時間でよく、第２実施形態では３０秒としているが、３０秒より短い時間、例えば５秒、１０秒、１５秒等でもよいし、３０秒より長い時間、例えば６０秒等としてもよい。また、所定時間をドライバなどの乗員が決定できるようにしてもよい。このように、第２実施形態の表示装置１００は、第１画像表示領域１７４に表示されていたリスト情報を所定時間が経過するまで第２画像表示領域１８４に表示させる。
【００７５】
所定時間が経過していないと判定した場合、表示制御部１３０は、ステップＳ２０２に戻る。所定時間が経過したと判定した場合、表示制御部１３０は、ステップＳ１０４において第２画像表示領域１８４に地図情報を表示させる前に表示させていた情報を第２画像表示領域１８４に表示させる（ステップＳ２１４）。このように、第２実施形態の表示装置１００は、所定時間の間、第２画像表示領域１８４に表示された選択肢を選択する操作が受付部１１０により受け付けられなかった場合に、ステップＳ１０４において第２画像表示領域１８４に地図情報を表示させる前に表示させていた情報を第２画像表示領域１８４に表示させる。こうして、表示装置１００は、図６に示す処理を終了する。
【００７６】
［表示装置の表示態様の変遷］
次に、第２実施形態の表示装置１００の表示態様の変遷について説明する。図７は、表示装置１００の表示態様の変遷の一例を示す図である。図７（Ａ）には、ステップＳ２１２において、第１決定スイッチ１７８の操作を受付部１１０が受け付けて表示制御部１３０が仮決定されたＡステーションの選択肢を本決定したときの表示装置１００の表示態様を示している。このとき、第１画像表示領域１７４には、充電ステーションのリスト情報が表示され、第２画像表示領域１８４には、地図情報が表示されている。なお、図７（Ａ）に示す画像が表示されるまでは、表示装置１００は、図４及び図５に示す表示態様と同様の変遷を経た表示を行う。
【００７７】
第１決定スイッチ１７８が操作されると、図７（Ｂ）に示すように、表示制御部１３０は、第１実施形態と同様に、地図情報を含むナビゲーション情報を第１画像表示領域１７４にさせる。このとき、第１実施形態では、図５（Ｃ）に示すように、表示制御部１３０は、第２画像表示領域１８４に地図情報を表示させる前に表示させていた情報を、第２画像表示領域１８４に表示させる。これに対して、第２実施形態では、図７（Ｂ）に示すように、表示制御部１３０は、充電ステーションのリスト情報を第２画像表示領域１８４に表示させる。また、第２選択項目表示領域１８６に「充電ステーション」の文字を表示させるとともに、第２決定スイッチ１８８に「決定」の文字を表示させる。
【００７８】
リスト情報が表示された第２画像表示領域１８４は、リスト情報が表示された第１画像表示領域１７４と同様に、受付部（第２受付部１１４）として機能する。「決定」の文字が表示された第２決定スイッチ１８８は、「決定」の文字が表示された第１決定スイッチ１７８と同様に受付部（第２受付部１１４）として機能する。表示制御部１３０は、リスト情報が表示された第２画像表示領域１８４の選択肢の操作を受付部１１０が受け付けた場合に、操作された選択肢を仮決定する。表示制御部１３０は、「決定」の文字が表示された第２決定スイッチ１８８の操作を受付部１１０が受け付けた場合に、仮決定された選択肢を本決定する。
【００７９】
例えば、第２画像表示領域１８４にリスト情報が表示された後、所定時間が経過する前に、第２画像表示領域１８４に表示される複数の選択肢の一つ、例えば「Ｂステーション」の第２選択肢Ｅ２をドライバが操作し、その操作を受付部１１０が受け付けると、表示制御部１３０は、「Ｂステーション」を仮決定する。このとき、第１画像表示領域１７４に表示された第２シンボルＰ２は、強調表示されている。続いて、表示制御部１３０は、図７（Ｂ）に示すように、第２画像表示領域１８４に表示された第２選択肢Ｅ２を強調表示する。さらに、表示制御部１３０は、第１画像表示領域１７４に表示された複数のシンボルのうち、Ｂステーションの位置を示す第２シンボルＰ２を準強調表示する。
【００８０】
その後、例えば図７（Ｂ）に示す状態で第２決定スイッチ１８８をアシスタントが操作し、その操作を受付部１１０が受け付けると、表示制御部１３０は、図７（Ｃ）に示すように、第２決定スイッチ１８８を暗転させる。なお、この場合に、第２決定スイッチ１８８を暗転させないようにしてもよい。このとき、表示制御部１３０は、自車両の行き先となる充電ステーションとして本決定した選択肢を「Ａステーション」から「Ｂステーション」に変更する。
【００８１】
表示制御部１３０は、本決定した選択肢を「Ｂステーション」に変更した後、第１画像表示領域１７４に表示されている第１シンボルＰ１の強調表示を解除し、第２シンボルＰ２の準強調表示を強調表示に変更する。そして、表示制御部１３０は、自車両マークＰＭから第１シンボルＰ１までの道を強調表示した画像を、自車両マークＰＭから第２シンボルＰ２までの道を強調表示した画像に変更して表示させる。
【００８２】
その後、所定時間が経過すると、表示制御部１３０は、図７（Ｄ）に示すように、第２画像表示領域１８４に地図情報を表示させる前に表示させていた情報（図４（Ａ）に示す情報）を、第２画像表示領域１８４に表示させる。こうして、一連の表示装置１００の表示動作が行われる。
【００８３】
このように、第２実施形態の表示装置１００は、第１画像表示領域１７４に地図情報を含むナビゲーション情報を表示した後、第２画像表示領域１８４には、第１画像表示領域１７４に表示されていたリスト情報を表示する。このため、第２画像表示領域１８４におけるリスト情報を操作することにより、選択肢の選択をやり直すことができる。したがって、例えばリスト情報に含まれる選択肢を誤って選択してしまった場合などの後における選択肢の選択のやり直しを容易とすることができる。
【００８４】
また、第２実施形態の表示装置１００では、第２画像表示領域１８４に表示させるリスト情報の表示時間を所定時間、第２実施形態では３０秒としている。このため、リスト情報が長時間にわたって表示される事態を抑制できるので、選択をやり直さない場合の表示装置１００の有効活用に寄与することができる。
【００８５】
また、第２実施形態の表示装置１００では、第２画像表示領域１８４に表示されていたリスト情報を消去した後は、第２画像表示領域１８４にもともと表示されていた情報を表示するので、例えば操作性の向上に寄与するとともに、第２表示部１８０では、アシスタントが好む情報を表示することができる。
【００８６】
なお、第２実施形態では、第２画像表示領域１８４にリスト情報を表示してから所定時間が経過した後に、第２画像表示領域１８４のリスト情報を消去する。表示制御部１３０は、第２画像表示領域１８４にリスト情報を表示したときを所定時間の計測開始タイミングとしているが、所定時間の計測開始タイミングは、他のタイミングでもよく、例えば、第１画像表示領域１７４にナビゲーション情報を表示したときでもよい。
【００８７】
また、第２画像表示領域１８４にリスト情報を表示した後、第１表示部１７０または第２表示部１８０に対する操作を受け付けた場合に、その操作を受け付けたときを所定時間の計測開始タイミングとしてもよい。所定時間は、計測開始タイミングによって変動してもよい。例えば、第２画像表示領域１８４にリスト情報を表示してから計時される所定時間が３０秒であるのに対して、第２画像表示領域１８４に表示されたリスト情報の操作を受け付けてから計時される所定時間の６０秒であるようにしてもよい。
【００８８】
また、第２実施形態では、第２画像表示領域１８４にリスト情報を表示してから所定時間が経過した後に、第２画像表示領域１８４のリスト情報を消去するが他の条件によりリスト情報を消去してもよい。例えば、第２画像表示領域１８４にリスト情報の表示を開始した後、車両が初めて停止したときに第２画像表示領域１８４のリスト情報を消去するようにしてもよい。
【００８９】
また、第２実施形態では、運転席に近い側に配置された第１表示部１７０に地図情報または地図情報を含むナビゲーション情報を表示させる場合には、第２表示部１８０に表示されたリスト情報の選択肢を操作した場合に、地図情報やナビゲーション情報を継続して表示させる。このため、ドライバの運転に有用となる地図情報等を、ドライバが見やすくなる状態を継続させることができる。
【００９０】
なお、第２実施形態では、ドライバに有用となる情報である地図情報を運転席に近い側の表示部である第１表示部１７０に継続して表示する。これに対して、例えば、アシスタントに有用となる情報、例えばオーディオの楽曲を選択する選択肢などの情報を表示する場合がある。この場合には、アシスタントに有用となる情報を継続して助手席に近い側の表示部である第２表示部１８０に表示するようにしてもよい。
【００９１】
＜第３実施形態＞
次に、本発明の第３実施形態について説明する。第３実施形態の表示装置１００では、図８に示すように、第１画像表示領域１７４の下に第１画面変換スイッチ３１２が表示され、第２画像表示領域１８４の下に第２画面変換スイッチ３２２が表示される点で、第１実施形態と異なる。第１画面変換スイッチ３１２及び第２画面変換スイッチ３２２は、いずれもＧＵＩスイッチである。なお、第１画面変換スイッチ３１２及び第２画面変換スイッチ３２２は、ＧＵＩスイッチ以外のものでもよく、例えば、表示装置１００の近傍に設けられたスイッチでもよいし、ドライバなどが行う交換専用のジェスチャーを検出する検出手段でもよい。表示制御部１３０は、第１画面変換スイッチ３１２または第２画面変換スイッチ３２２の操作による交換指示操作を受付部１１０が受け付けると、第１表示部１７０の第１操作領域１７２、第１画像表示領域１７４、第１選択項目表示領域１７６、及び第１決定スイッチ１７８における表示と、第２表示部１８０の第２操作領域１８２、第２画像表示領域１８４、第２選択項目表示領域１８６、及び第２決定スイッチ１８８の表示を交換して入れ替える。その他の点は、上記第１実施形態と同様の構成を有している。
【００９２】
［処理フロー］
以下、第３実施形態の表示装置１００の処理及び表示態様の変遷について説明する。図９は、第３実施形態の表示装置１００において実行される処理の流れの一例を示すフローチャートである。以下のフローチャートは、表示装置１００の電源がオン状態となった後に実行されてから、表示装置１００のシステム稼働中は基本的に実行され続け、電源がオフ状態となると終了する。
【００９３】
表示制御部１３０は、第１画面変換スイッチ３１２の操作を受付部１１０が受け付けたか否かを判定する（ステップＳ３０２）。第１画面変換スイッチ３１２の操作を受付部１１０が受け付けていないと判定した場合、表示制御部１３０は、第２画面変換スイッチ３２２の操作を受付部１１０が受け付けたか否かを判定する（ステップＳ３０４）。
【００９４】
第２画面変換スイッチ３２２の操作を受付部１１０が受け付けていないと判定した場合、表示装置１００は、図９に示す処理を終了する。ステップＳ３０２において、第１画面変換スイッチ３１２の操作を受付部１１０が受け付けたと判定した場合、またはステップＳ３０４において、第２画面変換スイッチ３２２の操作を受付部１１０が受け付けたと判定した場合、表示制御部１３０は、第１表示部１７０の表示内容と第２表示部の表示内容を入れ替える（ステップＳ３０６）。その後、表示装置１００は、ステップＳ３０２に戻り、ステップＳ３０２の処理を繰り返す。
【００９５】
［表示装置の表示態様の変遷］
次に、第３実施形態の表示装置１００の表示態様の変遷について説明する。図１０及び図１１は、第３実施形態の表示装置１００の表示態様の変遷の一例を示す図である。図１０（Ａ）には、第１操作領域１７２に表示された「レストラン」の項目（図８参照）の操作子の操作を受付部１１０が受け付けた状態を示している。また、車両の乗員が食事にいくためにレストランを探している状況を想定する。
【００９６】
レストランを探すため、例えばドライバが第１操作領域１７２に表示された「レストラン」の項目の操作子を操作し、その操作を受付部１１０が受け付けると、表示制御部１３０は、図１０（Ａ）に示すように、レストラン選択アプリであり、レストランのジャンル別のリスト情報を第１画像表示領域１７４に表示させる。このとき、表示制御部１３０は、第２画像表示領域１８４に任意の画像、例えばアシスタントの好みの情報を提供する画像を表示させる。なお、第１操作領域１７２に表示される情報は、車載機能の選択肢などでもよい。
【００９７】
続いて、ドライバがとりあえずイタリアンのレストランを探すために、第１画像表示領域１７４に表示された選択肢を操作し、その操作を受付部１１０が受け付けたとする。この場合、表示制御部１３０は、図１０（Ｂ）に示すように、操作を受け付けた選択肢を強調表示するとともに、第１決定スイッチ１７８に「決定」の文字を表示する。表示制御部１３０は、選択肢のレストランの位置を示すシンボルが表示された地図情報を第２画像表示領域１８４に表示させる。
【００９８】
この状態で、例えば、ドライバが運転に集中するために、レストランを探す操作をアシスタントに委ねたいと考え、第１画面変換スイッチ３１２を操作したとする。この第１画面変換スイッチ３１２の操作を受付部１１０が受け付けると、表示制御部１３０は、図１０（Ｂ）に示すように、第１画像表示領域１７４に表示させていたレストランのジャンル別のリスト情報及び第２画像表示領域１８４に表示させていた地図情報を、図１０（Ｃ）に示すように、それぞれ第２画像表示領域１８４及び第１画像表示領域１７４に表示させる。このように、表示制御部１３０は、図１０（Ｂ）に示すように、第１選択項目表示領域１７６、第１決定スイッチ１７８に表示させていた内容を、図１０（Ｃ）に示すように消去し、第２選択項目表示領域１８６、第２決定スイッチ１８８に表示させる。
【００９９】
その後、例えばドライバとアシスタントの相談によって、食事を中華とすることとし、アシスタントが第２画像表示領域１８４に表示された「中華」の選択肢を操作したとする。続いて、アシスタントが第２決定スイッチ１８８を操作して、それらの操作を受付部１１０が受け付けると、「中華」の選択肢が本決定される。次に、表示制御部１３０は、図１１（Ａ）に示すように、「中華」のレストランの店舗のリスト情報を第２画像表示領域１８４に表示させる。
【０１００】
ここで、例えば中華のレストランであるならば、ドライバの好みの店があることが分かり、ドライバがその好みの店を選択した方がよい状況となったとする。この場合、アシスタントが第２画面変換スイッチ３２２を操作し、その操作を受付部１１０が受け付けると、表示制御部１３０は、図１１（Ａ）に示すように、第２画像表示領域１８４に表示させていた「中華」のレストランの店舗のリスト情報及び第１画像表示領域１７４に表示させていた地図情報を、図１１（Ｂ）に示すように、それぞれ第１画像表示領域１７４及び第２画像表示領域１８４に表示させる。表示制御部１３０は、図１１（Ａ）に示すように、第２選択項目表示領域１８６及び第２決定スイッチ１８８に表示させていた内容を、図１１（Ｂ）に示すように消去し、それぞれ第１選択項目表示領域１７６及び第１決定スイッチ１７８に表示させる。こうして、ドライバが好みの店を探しやすくなるようにすることができる。
【０１０１】
このように、第２実施形態の表示装置１００は、第１画面変換スイッチ３１２または第２画面変換スイッチ３２２を操作することで、第１表示部１７０の表示内容と第２表示部１８０の表示内容を交換する。このため、ドライバとアシスタントとの間での情報を容易に共有させることができるとともに、ドライバとアシスタントの状況や知識等に応じて、操作に適する情報を表示する画面を交換することができる。したがって、乗員の状況に適した情報を表示することができる。また、ドライバやアシスタントが遠くの第１表示部１７０または第２表示部１８０を見る機会を少なくできるので、ドライバやアシスタントは、無理な体制を強いられたり、運転の注意力をそがれたりしにくい状態で、有用な情報が表示された画面を視認することができる。
【０１０２】
また、第１表示部１７０と第２表示部１８０との情報を交換する第１画面変換スイッチ３１２は運転席に近い側に配置され、第２画面変換スイッチ３２２は助手席に近い側に配置されている。このため、運転席に着座するドライバと助手席に着座するアシスタントのいずれもが第１表示部１７０と第２表示部１８０との情報を交換する操作を行い易くすることができる。なお、第１画像表示領域１７４または第２画像表示領域１８４に表示される選択肢については、第１の実施形態において説明した選択肢の付加情報を合わせて表示してもよい。
【０１０３】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【０１０４】
１００…表示装置
１１０…受付部
１１２…第１受付部
１１４…第２受付部
１３０…表示制御部
１７０…第１表示部
１７２…第１操作領域
１７４…第１画像表示領域
１７６…第１選択項目表示領域
１７８…第１決定スイッチ
１８０…第２表示部
１８２…第２操作領域
１８４…第２画像表示領域
１８６…第２選択項目表示領域
１８８…第２決定スイッチ
３１２…第１画面変換スイッチ
３２２…第２画面変換スイッチ
Ｅ１…第１選択肢
Ｅ２…第２選択肢
Ｅ３…第３選択肢
Ｅ４…第４選択肢
Ｅ５…第５選択肢
【図１】
2020134817.tif 000003
【図２】
2020134817.tif 000004
【図３】
2020134817.tif 000005
【図４】
2020134817.tif 000006
【図５】
2020134817.tif 000007
【図６】
2020134817.tif 000008
【図７】
2020134817.tif 000009
【図８】
2020134817.tif 000010
【図９】
2020134817.tif 000011
【図１０】
2020134817.tif 000012
【図１１】
2020134817.tif 000013